(57)【特許請求の範囲】
【請求項１】
支台結合部と、開口および外表面を有する中空チャンバーとを含み、前記中空チャンバーの支台壁にはネジホールが設けられており、歯科用植込み体と結合するための支台と、
格納領域および前記格納領域を囲む内側面が設けられた上部構造体と、
上面を有する接触部および誘導部を含むネジ頭と、ネジ山が設けられたネジ棒とを含み、前記誘導部が前記接触部と前記ネジ棒との間に位置しているネジと、を備えており、
前記ネジが前記ネジホール内に設置されているとき、前記ネジが前記上部構造体を貫通することなく、前記ネジ頭の一部が前記中空チャンバーの前記外表面から外部へ突出しており、
前記上部構造体を前記支台上に被ぶらせたとき、前記中空チャンバーの前記外表面の一部のエリアが前記上部構造体の前記内側面の一部のエリアに接触し、且つ前記ネジ頭が対向する前記内側面に当接して該内側面へ突出方向の力を与えることにより、前記上部構造体が着脱可能に前記支台上に嵌り込む、着脱可能な補綴装置。
【請求項２】
前記ネジホール内には、形状が前記誘導部と適合する誘導領域が設けられており、
前記ネジが前記ネジホール内に設置されているとき、
前記誘導部が前記誘導領域内に位置し、且つ、前記接触部が前記中空チャンバーの前記外表面から外部へ突出しており、
前記中空チャンバーの前記外表面の一部のエリアが前記上部構造体の前記内側面の一部のエリアに接触しているとき、
前記接触部が対向する前記内側面に当接して該内側面へ突出方向の力を与える、請求項１に記載の着脱可能な補綴装置。
【請求項３】
前記接触部の側面の形状が矩形である、請求項２に記載の着脱可能な補綴装置。
【請求項４】
前記ネジ棒の長さが前記中空チャンバーの内径の半分よりも小さい、請求項１に記載の着脱可能な補綴装置。
【請求項５】
前記ネジ棒の長さが前記中空チャンバーの前記支台壁の厚みよりも小さい、請求項１に記載の着脱可能な補綴装置。
【請求項６】
前記ネジ棒の長さが前記中空チャンバーの前記支台壁の厚みの１５０％よりも小さい、請求項１に記載の着脱可能な補綴装置。
【請求項７】
前記ネジ棒の長さは０．５ｍｍ〜３．５ｍｍの範囲である、請求項１に記載の着脱可能な補綴装置。
【請求項８】
前記ネジ棒上のネジ山の輪数は１．５〜６の範囲である、請求項１に記載の着脱可能な
補綴装置。
【請求項９】
前記ネジ棒上のネジ山のピッチは０．１ｍｍ〜１．０ｍｍの範囲である、請求項１に記載の着脱可能な補綴装置。
【請求項１０】
前記ネジ頭の直径は０．５ｍｍ〜３．０ｍｍの範囲である、請求項１に記載の着脱可能な補綴装置。
【請求項１１】
支台結合部と、開口および外表面を有する中空チャンバーとを含み、前記中空チャンバーの支台壁にはネジホールが設けられており、歯科用植込み体と結合するための支台と、格納領域および前記格納領域を囲む内側面が設けられた上部構造体と、を備えた着脱可能な補綴装置に用いられるネジであって、
接触部および誘導部を含むネジ頭と、ネジ山が設けられたネジ棒とを含み、
前記接触部は、上面を有し、
前記誘導部は、前記接触部と前記ネジ棒との間に位置しており、
該ネジが前記ネジホール内に設置されているとき、
該ネジが前記上部構造体を貫通することなく、前記ネジ頭の一部が前記中空チャンバーの前記外表面から外部へ突出しており、
前記上部構造体を前記支台上に被らせたとき、
前記中空チャンバーの前記外表面の一部のエリアが前記上部構造体の前記内側面の一部のエリアに接触し、且つ前記ネジ頭が対向する前記内側面に当接して該内側面へ突出方向の力を与えることにより、前記上部構造体が着脱可能に前記支台上に嵌り込む、ネジ。
【請求項１２】
前記ネジホール内には、形状が前記誘導部と適合する誘導領域が設けられており、
該ネジが前記ネジホール内に設置されているとき、
前記誘導部が前記誘導領域内に位置し、且つ、前記接触部が前記中空チャンバーの前記外表面から外部へ突出しており、
前記中空チャンバーの前記外表面の一部のエリアが前記上部構造体の前記内側面の一部のエリアに接触しているとき、
前記接触部が対向する前記内側面に当接して該内側面へ突出方向の力を与える、請求項１１に記載のネジ。
【請求項１３】
前記接触部の側面の形状が矩形である、請求項１２に記載のネジ。
【請求項１４】
前記ネジ棒の長さが前記中空チャンバーの内径の半分よりも小さい、請求項１１に記載のネジ。
【請求項１５】
前記ネジ棒の長さが前記中空チャンバーの前記支台壁の厚みよりも小さい、請求項１１に記載のネジ。
【請求項１６】
前記ネジ棒の長さが前記中空チャンバーの前記支台壁の厚みの１５０％よりも小さい、請求項１１に記載のネジ。
【請求項１７】
前記ネジ棒の長さは０．５ｍｍ〜３．５ｍｍの範囲である、請求項１１に記載のネジ。
【請求項１８】
前記ネジ棒上のネジ山の輪数は１．５〜６の範囲である、請求項１１に記載のネジ。
【請求項１９】
前記ネジ棒上のネジ山のピッチは０．１ｍｍ〜１．０ｍｍの範囲である、請求項１１に記載のネジ。
【請求項２０】
前記ネジ頭の直径は０．５ｍｍ〜３．０ｍｍの範囲である、請求項１１に記載のネジ。
【発明の詳細な説明】
【技術分野】
【０００１】
本発明は、補綴装置（ｐｒｏｓｔｈｏｄｏｎｔｉｃ  ｄｅｖｉｃｅ）に関し、特に上部構造体が着脱可能な補綴装置、およびそれに係るネジに関する。
【背景技術】
【０００２】
審美性の追求や機能回復、口腔衛生の改善のために、歯を植付ける手法を選び、欠損した歯を補修する人が多く存在する。従来、歯を植付ける手法では、歯科用セメントを使用して上部構造体（ｓｕｐｒａｓｔｒｕｃｔｕｒｅ）と支台（ａｂｕｔｍｅｎｔ）との間の隙間に充填し、この歯科用セメントにより上部構造体を支台に固定するのが一般的である。
【０００３】
歯科用セメントを用いて上部構造体を装着する際に、上部構造体の辺縁からセメントが溢れてしまい、それがそのまま硬化してしまうと完全に除去する事は困難とされている。その残余したセメントが、埋め込み体周囲の組織に悪影響を及ぼす。
【０００４】
また、歯科用セメントが硬化してしまうと、上部構造体を支台から取り外しにくくなるが、歯を植え付ける手法で回復した歯の粘膜を貫通する部分への汚れの侵入があるため、同部の清掃が困難となるため、周りの組織に障害が生じやすく、ひいては歯を植付ける手法で回復した歯の使用期間も短くなる虞がある。
【０００５】
一方、もし無理に上部構造体に対して物理的に力を加え、上部構造体を支台から取り外そうとすると、上部構造体の構造や外観を傷つけ、または支台の構造を傷つけてしまう虞がある。
【発明の概要】
【発明が解決しようとする課題】
【０００６】
前記に鑑み、必要なときに上部構造体を容易に支台から取り外せる補綴装置を如何に提供するかが、業界で解決すべき課題である。
【課題を解決するための手段】
【０００７】
前記の課題を解決するために、一実施例として、本発明は、支台結合部、並びに、開口および外表面を有する中空チャンバーを有し、歯科用植込み体と結合するための支台と、格納領域および前記格納領域を囲む内側面が設けられた上部構造体と、を含み、前記中空チャンバーの支台壁には、当該支台壁の外表面から外部に突出する樹脂または金属による突起部が設けられており、前記上部構造体を前記支台上に被ぶらせたとき、前記中空チャンバーの前記外表面の前記突起部表面が対向する前記内側面に当接し、さらに突起部の反対側の前記中空チャンバーの前記外表面の一部のエリアが対向する前記上部構造体の前記内側面の一部のエリアに接触することにより、前記上部構造体が着脱可能に前記支台上に装着される、着脱可能な補綴装置を提供する。
【０００８】
前記の課題を解決するために、一実施例として、本発明は、支台結合部と、開口および外表面を有する中空チャンバーとを含み、前記中空チャンバーの支台壁にはネジホールが設けられており、歯科用植込み体と結合するための支台と、格納領域および前記格納領域を囲む内側面が設けられた上部構造体と、上面を有する接触部および誘導部を含むネジ頭と、ネジ山が設けられたネジ棒とを含み、前記誘導部が前記接触部と前記ネジ棒との間に位置しているネジとを備え、前記ネジが前記ネジホール内に設置されているとき、前記ネジが前記上部構造体を貫通することなく、前記ネジ頭の一部が前記中空チャンバーの前記外表面から外部へ突出しており、前記上部構造体を前記支台上に被らせたとき、前記中空チャンバーの前記外表面の一部のエリアが前記上部構造体の前記内側面の一部のエリアに接触し、且つ前記ネジ頭が対向する前記内側面に当接して該内側面へ突出方向の力を与えることにより、前記上部構造体が着脱可能に前記支台上に嵌り込む、着脱可能な補綴装置を提供する。
【０００９】
また、別の実施例として、本発明は、支台結合部と、開口および外表面を有する中空チャンバーとを含み、前記中空チャンバーの支台壁にはネジホールが設けられており、歯科用植込み体と結合するための支台と、格納領域および前記格納領域を囲む内側面が設けられた上部構造体と、を備えた着脱可能な補綴装置に用いられるネジであって、上面を有する接触部および誘導部を含むネジ頭と、ネジ山が設けられたネジ棒とを含み、前記誘導部は、前記接触部と前記ネジ棒との間に位置しており、該ネジが前記ネジホール内に設置されているとき、該ネジが前記上部構造体を貫通することなく、前記ネジ頭の一部が前記中空チャンバーの前記外表面から外部へ突出しており、前記上部構造体を前記支台上に被らせたとき、前記中空チャンバーの前記外表面の一部のエリアが前記上部構造体の前記内側面の一部のエリアに接触し、且つ前記ネジ頭が対向する前記内側面に当接して該内側面へ突出方向の力を与えることにより、前記上部構造体が着脱可能に前記支台上に嵌り込む、ネジを提供する。
【発明の効果】
【００１０】
前記の実施例によれば、上部構造体を支台上に被らせると、突起部またはネジ頭から上部構造体の内側面への突出方向の力により、上部構造体を着脱可能に支台に嵌め込むことが容易にできるという優れた点がある。
【００１１】
また、前記の実施例によれば、必要なときに上部構造体に対して適切な力を加えるだけで、上部構造体および支台の構造や外観を傷つけることなく、上部構造体を支台から取り外すことができ、補綴装置の周囲の清掃や消毒処理、および上部構造体の修復または交換処理に有利であるという別の優れた点がある。
【００１２】
本発明の更なる利点については、後述の内容および図に基づいてより詳しく説明する。
【図面の簡単な説明】
【００１３】
【図１】本発明の一実施例に係る着脱可能な補綴装置を簡略的に示す断面模式図である。
【図２】一実施例として図１のネジを簡略的に示す斜視模式図である。
【図３】一実施例として図１のネジを簡略的に示す側面模式図である。
【図４】一実施例として図１のネジを支台の支台壁に取り付ける方法を簡略的に示す模式図である。
【図５】一実施例として図１のネジを支台の支台壁に取り付ける方法を簡略的に示す模式図である。
【図６】一実施例として図１のネジを支台の支台壁に取り付ける方法を簡略的に示す模式図である。
【図７】一実施例として図１のネジを支台の支台壁に取り付ける方法を簡略的に示す模式図である。
【図８】一実施例として図１の着脱可能な補綴装置を歯科用植込み体に固定する方法を簡略的に示す模式図である。
【図９】一実施例として図１の着脱可能な補綴装置の維持力の調整方法を示す図である。
【図１０】一実施例として図１の着脱可能な補綴装置の維持力の調整方法を示す図である。
【図１１】一実施例として図１の着脱可能な補綴装置の維持力の調整方法を示す図である。
【図１２】本発明に係る、突起部を有する支台の外観の一例を示す図である。
【図１３】本発明に係る、突起部を有する支台および上部構造体を有する着脱可能な補綴装置の一例を示す概略透視図である。
【図１４】樹脂材料により形成される樹脂突起部の形成方法の一例を示す図である。
【図１５】図１４の樹脂突起部の先端部の上面の形状の一例を示す図である。
【図１６】樹脂材料により形成される樹脂突起部の形成方法の一例を示す図である。
【図１７】樹脂材料により形成される樹脂突起部の形成方法の一例を示す図である。
【発明を実施するための形態】
【００１４】
〔実施形態１〕
以下、対応する図に基づき、本発明の実施例について説明する。なお、同様または類似の部材若しくは方法プロセスは、図中において同一の符号で表記する。
【００１５】
図１は本発明の一実施例に係る着脱可能な補綴装置１００を簡略的に示す断面模式図である。図１に示すように、着脱可能な補綴装置１００は、支台（ａｂｕｔｍｅｎｔ）１１０と、上部構造体（ｓｕｐｒａｓｔｒｕｃｔｕｒｅ）１２０と、ネジ（ｓｃｒｅｗ）１３０とを含む。支台１１０は、歯槽骨（ｂｏｎｅ）１０２に嵌め込まれた歯科用植込み体（ｉｍｐｌａｎｔ）１０４と結合するためのものであり、支台結合部（ａｂｕｔｍｅｎｔ  ｃｏｌｌａｒ）１１１および中空チャンバー（ｈｏｌｌｏｗ  ｃｈａｍｂｅｒ）１１２を含む。上部構造体１２０には、格納領域（ｒｅｃｅｉｖｉｎｇ  ｒｅｇｉｏｎ）１２１、および格納領域１２１を囲む内側面（ｉｎｎｅｒ  ｓｕｒｆａｃｅ）が設けられている。ネジ１３０は、ネジ頭（ｓｃｒｅｗ  ｈｅａｄ）１３２およびネジ棒（ｓｃｒｅｗ  ｒｏｄ）１３４を含む。本実施例において、支台１１０の中空チャンバー１１２は、開口１１３および外表面１１４を有する。また、中空チャンバー１１２の支台壁（ａｂｕｔｍｅｎｔ  ｗａｌｌ）１１５には、ネジホール（ｓｃｒｅｗ  ｈｏｌｅ）が設けられている。
【００１６】
図１に示すように、中空チャンバー１１２の開口１１３から支台ネジ（ａｂｕｔｍｅｎｔ  ｓｃｒｅｗ）１４０を中空チャンバー１１２内に入れ、支台結合部１１１を貫通するように支台ネジ１４０を歯科用植込み体１０４にねじ込むことで、支台１１０を歯科用植込み体１０４に固定することができる。
【００１７】
以下、図２および図３に基づき、ネジ１３０の実施形態をさらに説明する。図２は、本発明のネジ１３０の一実施例を簡略的に示す斜視模式図である。図３は、本発明のネジ１３０の一実施例を簡略的に示す側面模式図である。
【００１８】
図２および図３に示すように、ネジ頭１３２は、接触部（ｃｏｎｔａｃｔ  ｍｅｍｂｅｒ）２２２および誘導部（ｇｕｉｄｉｎｇ  ｍｅｍｂｅｒ）２２４を含む。接触部２２２は上面２２６を有する。誘導部２２４は、接触部２２２とネジ棒１３４との間に位置し、面取り（ｃｈａｍｆｅｒ）構造を有する。ネジ棒１３４には、ネジ山（ｓｃｒｅｗ  ｔｈｒｅａｄ）２３０が設けられている。
【００１９】
図２の実施例では、ネジ頭１３２の接触部２２２の側面形状は矩形である。また、図２に示すように、ネジ頭１３２上にさらにツール用スロット（ｔｏｏｌ  ｓｌｏｔ）２２８が設けられている。実際の取扱いとして、ツール用スロットの形状は、一字形、十字形、三角形、六角形または星状であってもよく、これらに限定されるものではない。ユーザは、対応のねじ回し等のツールをツール用スロット２２８に挿入し、ネジ１３０を前記中空チャンバー１１２の支台壁１１５上のネジホールにねじ込むことができる。また、ツール用スロット２２８は、ネジ１３０を全体にわたって貫通するように設計されてもよい。これにより、ネジ１３０を製造する材料の量を節約できる。
【００２０】
図４〜図７は、一実施例として、ネジ１３０を支台１１０の支台壁１１５に取り付ける方法を簡略的に示す模式図である。
【００２１】
図４は、本発明に係る支台１１０の一実施例を簡略的に示す断面模式図である。本実施例において、支台１１０の支台結合部１１１には、支台結合部１１１を貫通した支台ネジ用ホール（ａｂｕｔｍｅｎｔ  ｓｃｒｅｗ  ｈｏｌｅ）４１６が設けられている。
【００２２】
図５に示すように、ネジ１３０を支台１１０の支台壁１１５に取り付ける前に、中空チャンバー１１２の支台壁１１５に予めネジホール５１７を形成してもよい。実際の取扱いとしては、ネジ１３０のネジ棒１３４の長さに応じてネジホール５１７の深さを決定してもよい。例えば、一部の実施例では、支台壁１１５を貫通していない止り穴を用いて、ネジホール５１７を実現してもよい。また、別の実施例では、支台壁１１５を貫通した開き穴を用いて、ネジホール５１７を実現してもよい。
【００２３】
そして、図６に示すように、適切な工具を用いてネジホール５１７内に、サイズおよび形状がネジ１３０の誘導部２２４と適合する誘導領域（ｇｕｉｄｉｎｇ  ｒｅｇｉｏｎ）６１８を形成してもよい。例えば、本実施例としては、誘導領域６１８は円形であり、誘導領域６１８の直径がネジ１３０の誘導部２２４の直径と同様か、誘導部２２４の直径よりやや大きく、さらに誘導領域６１８および誘導部２２４の両方の直径がネジ棒１３４の直径よりも大きい。
【００２４】
ネジ１３０を前記支台壁１１５のネジホール５１７に取り付ける際、誘導部２２４の面取り構造が誘導領域６１８と適合することにより、ユーザはネジ１３０をより容易に、より正確にネジホール５１７内へねじ込むことができ、ネジ１３０のズレ問題を軽減させることができる。
【００２５】
ネジ１３０をネジホール５１７内に設置すると、ネジ頭１３２の一部が中空チャンバー１１２の外表面から外部へ突出するようになる。例えば、図７に示すように、ネジ１３０をネジホール５１７内に設置すると、誘導部２２４が誘導領域６１８内に入り、且つ接触部２２２が中空チャンバー１１２の外表面１１４から外部へ突出するようになる。
【００２６】
上部構造体１２０を支台１１０上に被らせると、中空チャンバー１１２の外表面１１４の一部のエリアが上部構造体１２０の内側面１２２の一部のエリアに接触し、且つネジ頭１３２が対向する（対向側の）内側面１２２に当接して該内側面１２２へ突出方向の力を与えるようになる。これにより、上部構造体１２０を着脱可能に支台１１０上に嵌め込むことができる。ここで、突出方向とは、ネジ頭１３２から対向する内側面１２２へ向かう方向である。換言すると、突出方向とは、ネジ１３０が支台壁１１５の外表面から突出（伸長）している方向である。
【００２７】
例えば、図８は一実施例として、着脱可能な補綴装置１００を歯科用植込み体１０４に固定する方法を簡略的に示す模式図である。上述したように、ユーザは、開口１１３から支台ネジ１４０を支台１１０の中空チャンバー１１２内に入れ、支台ネジ１４０を、支台結合部１１１の支台ネジ用ホール４１６を貫通するように歯科用植込み体１０４にねじ込むことで、支台１１０を歯科用植込み体１０４に固定することができる。
【００２８】
そして、ユーザが上部構造体１２０の格納領域１２１の位置を支台１１０に合わせ、上部構造体１２０を支台１１０の方向へ押し込んで支台１１０上に被らせるだけで、中空チャンバー１１２の外表面１１４の一部のエリアと、上部構造体１２０の内側面１２２の一部のエリアとが接触する。このとき、ネジ頭１３２の接触部２２２が対向する格納領域１２１の内側面１２２に当接し、該内側面１２２へ突出方向の力を与える。これにより、中空チャンバー１１２の外表面１１４と上部構造体１２０の内側面１２２との間の摩擦力、およびネジ頭１３２の接触部２２２と格納領域１２１の内側面１２２との間の摩擦力により、簡単に上部構造体１２０を着脱可能に支台１１０上に嵌め込むことができる。
【００２９】
そして、後に上部構造体１２０と支台１１０とを分離する必要がある場合には、ユーザが上部構造体１２０に適切な力を加え、支台１１０から離れる方向へ押し上げれば、上部構造体１２０と支台１１０およびネジ１３０との間の摩擦力を克服することができるため、上部構造体１２０および支台１１０の構造や外観を傷つけることなく、上部構造体１２０と支台１１０とを分離させることができる。
【００３０】
したがって、ネジ１３０を利用し上部構造体１２０を支台１１０に嵌め込む上述した形態によれば、着脱可能な補綴装置１００周囲の組織の清掃、消毒や治療、着脱可能な補綴装置１００と隣接の歯１０６との隙間の清掃や治療、さらに上部構造体１２０の修復や交換が容易になる。
【００３１】
なお、上部構造体１２０が支台１１０上に嵌り込んでいる状態のときは、ネジ１３０のネジ頭１３２が上部構造体１２０の格納領域１２１の内側面に当接するのみで、ネジ１３０が上部構造体１２０を貫通することはない。したがって、ネジ１３０が上部構造体１２０から外部に露出することはなく、上部構造体１２０の構造および完整性を損なうこともない。
【００３２】
また、前記ネジ１３０の機能は、どんな形状、サイズのネジを用いても実現できるものではない。実際では、異なる支台と上部構造体との間においてより幅広く応用するためには、ネジ１３０の形状やサイズについて特定の設計を行う必要がある。以下は、ネジ１３０の実施形態についてさらに説明する。
【００３３】
実際の取扱いとしては、前記支台ネジ１４０の着脱の邪魔にならないように、ネジ１３０のネジ棒１３４の長さを適切に設計する必要がある。
【００３４】
例えば、一部の実施例において、ネジ棒１３４の長さを、中空チャンバー１１２の内径の半分よりも小さくなるように設計してもよい。
【００３５】
また、別の実施例において、ネジ棒１３４の長さを、中空チャンバー１１２の支台壁１１５の厚みよりやや小さくなるように設計してもよい。
【００３６】
さらに、一部の実施例において、ネジ棒１３４の長さを、中空チャンバー１１２の支台壁１１５の厚みの１５０％よりも小さくなるように設計してもよい。
【００３７】
本発明者は、複数回の実験により、ネジ棒１３４の長さを０．５ｍｍ（ｍｉｌｌｉｍｅｔｅｒ）〜３．５ｍｍの範囲となるように設計することで、多種の従来支台の構成にも適用でき、最も幅広く応用できることを見出した。
【００３８】
また、ネジ棒１３４上のネジ山の輪数（ｔｈｒｅａｄ  ｔｕｒｎｓ）やピッチを適宜設計し、ネジ１３０を前記支台壁１１５のネジホール５１７にねじ込むときの安定性を高めてもよい。ネジ山２３０を誘導部２２４に近い部分まで作ることにより、薄い支台壁１１５（例えば、０．３ｍｍ）に対してもネジ１３０を固定することができる。
【００３９】
例えば、測定により、ネジ棒１３４上のネジ山の輪数を１．５〜６の範囲とすれば、ネジ１３０とネジホール５１７との密接性を効率よく高めることができると共に、ネジホール５１７の雌ねじ部の破損を防止できることが分かった。これにより、ネジ１３０の使用期間が長くなる。
【００４０】
また、ネジ棒１３４上のネジ山のピッチを０．１ｍｍ〜１．０ｍｍの範囲とすれば、同様に、ネジ１３０とネジホール５１７との密接性を効率よく高めることができると共にネジホール５１７の雌ねじ部の破損を防止できる。
【００４１】
また、実際の取扱いとしては、良好な嵌め込み効果を得るようにネジ頭１３２の直径を０．５ｍｍ〜３．０ｍｍの範囲とすることが好ましい。
【００４２】
なお、或る実施例において、ネジ１３０は、ピッチが０．２ｍｍであり、長さが０．５ｍｍであり、太さが１．６ｍｍであり、ネジ頭１３２の直径が１．８ｍｍである。また、ネジ１３０には、ネジ棒１３４からネジ頭１３２への移行には高さ０．１ｍｍの幅で９０°のカウンターシンクをつけている。また、ネジ１３０には、ネジ１３０を貫通するヘックスのドライバーホールが設けられており、ドライバーによってフリクションでピックアップできる様に設計されている。
【００４３】
また、ネジ１３０の材料は、金属（例えば、チタン合金）または樹脂であってよい。
【００４４】
なお、上述した実施例における支台１１０の形状は、実施例の例示的なものでしかすぎず、本発明の実際の実施形態を限定するものではない。例えば支台１１０の外形、または中空チャンバー１１２の形状やサイズは、実際の必要に応じて調整することができる。
【００４５】
上述したように、ユーザが、上部構造体１２０の格納領域１２１の位置を支台１１０に合わせ、上部構造体１２０を支台１１０の方向へ押し込んで支台１１０上に被らせるだけで、中空チャンバー１１２の外表面１１４と上部構造体１２０の内側面１２２との間の摩擦力、およびネジ頭１３２の接触部２２２と格納領域１２１の内側面１２２との間の摩擦力により、簡単に上部構造体１２０を着脱可能に支台１１０上に嵌め込むことができる。
【００４６】
そして、後に上部構造体１２０と支台１１０とを分離する必要がある場合には、ユーザが上部構造体１２０に適切な力を加え、支台１１０から離れる方向へ押し上げるだけで、上部構造体１２０および支台１１０の構造や外観を傷つけることなく、上部構造体１２０と支台１１０とを分離させることができる。
【００４７】
したがって、ネジ１３０を利用し上部構造体１２０を支台１１０に嵌め込む上述した形態によれば、着脱可能な補綴装置１００周囲の組織の清掃、消毒や治療、着脱可能な補綴装置１００と隣接の歯１０６との隙間の清掃や治療、さらに上部構造体１２０の修復や交換が容易になる。
【００４８】
また、上述した一部の実施例において、ネジ頭１３２の接触部２２２の側面の形状を矩形として設計したが、これらの設計形式は単なる設計事項ではなく、測定により見出されたものである。すなわち、これらの設計形式によれば、ユーザに多くの応用余地が与えられるため、ユーザは実際の必要に応じて接触部２２２の形状を適宜調整することで、上部構造体１２０の格納領域１２１の形状や、上部構造体１２０と支台１１０との隙間の大きさにより適合した応用ができ、上部構造体１２０と支台１１０との嵌め込み効果を向上させることができる。
【００４９】
上述したネジ１３０の構成は、異なる構造の種々の支台に適用でき、非常に幅広い応用余地がある。
【００５０】
さらに、前記ネジ１３０は、上部構造体１２０の格納領域１２１内に隠れており、上部構造体１２０から外に露出しないため、上部構造体１２０から守られ、破損や錆が生じにくい。これにより、着脱可能な補綴装置１００の使用期間が効率よく長くなる。
【００５１】
また、前記ネジ１３０が上部構造体１２０から外に露出しないため、審美性を損なうことや、患者に口腔内の異物感をもたらすこともなく、義歯の使用の快適さを改善できる。
【００５２】
なお、上部構造体１２０のフレームの材質は、金属、ジルコニア等のセラミック、または樹脂であってよい。例えば、上部構造体１２０のフレームは、ＣＡＤ（computer aided design）−ＣＡＭ（computer aided manufacturing）技術などによって製造されてもよく、この場合、上部構造体１２０のフレームの材質としては、ＣＡＤ−ＣＡＭ技術に適用可能な材質の中から所望の材質を選択すればよい。
【００５３】
次に、支台１１０と上部構造体１２０との適合性およびそれらの間に働く維持力について説明する。
【００５４】
本実施形態では、支台壁１１５にネジ１３０を取り付けて、支台壁１１５に突起部を実現しているため、ネジ１３０のネジ頭１３２の一部または全部を削合することにより、突起部であるネジ１３０と、上部構造体１２０のネジ１３０に対向する内側面１２２との適合性を向上させたり、維持力を調整したりすることができる。また、本実施形態では、ネジ１３０を逆回転（支台壁１１５からネジ１３０を取り外す方向）させることにより、ネジ頭１３２の突出度を調整することができる。この逆回転によっても、適合性の向上および維持力の調整を行うことができる。なお、ネジ頭１３２の削合またはネジ１３０の逆回転は、ネジ１３０の反対側の支台壁１１５と上部構造体１２０の内側面１２２との適合性および維持力にも影響する。そのため、ネジ１３０の反対側の支台壁１１５と上部構造体１２０の内側面１２２との適合性を向上させたり、維持力を調整したりするために、ネジ頭１３２の削合またはネジ１３０の逆回転を行う場合がある。
【００５５】
次に、図９〜１１に基づいて、維持力の調整方法の具体例について説明する。
【００５６】
図９に示す実施例においては、ネジ１３０を支台壁１１５に取り付ける前に、上部構造体１２０を製作する。また、図９に示す実施例は、支台壁１１５が十分な厚み（例えば、約２ｍｍ）を有している場合である。
【００５７】
この場合、ネジホール５１７の開口部が平面になるように、支台壁１１５にネジホール５１７を形成する。そして、図９（ａ）に示すように、ネジ１３０の中心をネジホール５１７の開口部の中心に合わせて、支台壁１１５の外表面からネジ１３０の１／４から１／２程度突出するようにネジ１３０を設置する。
【００５８】
その後、図９（ｂ）に示すように、ネジ１３０のネジ頭１３２（接触部２２２）を削合して、上部構造体１２０の内側面１２２との適合性および維持力を調整する。
【００５９】
図９に示す例では、維持力の強さが低下した場合は、ネジ１３０を逆回転してネジ１３０の突出度を調整することにより、維持力の強さを回復することができる。
【００６０】
図１０に示す実施例においては、ネジ１３０を支台壁１１５に取り付ける前に、上部構造体１２０を製作する。また、図１０に示す実施例は、支台壁１１５が十分な厚みを有していない場合である。
【００６１】
この場合、図１０（ａ）に示すように、支台壁１１５の外表面からネジ１３０の１／４から１／２程度突出するように、ネジ１３０を支台壁１１５の曲面に対して設置する。極めて支台壁１１５の厚みが薄い場合は、ネジ１３０のネジ棒１３４のみを支台壁１１５内に入れる。
【００６２】
その後、図１０（ｂ）に示すように、ネジ頭１３２（接触部２２２または接触部２２２および誘導部２２４）を削合し、ネジ頭１３２の形状を支台壁１１５の形状に合わせて、上部構造体１２０の内側面１２２との適合性および維持力を調整する。
【００６３】
なお、図１０に示す例では、維持力の強さが低下した場合は、ネジ１３０の逆回転による調整は困難であり、ネジ１３０自体を交換して維持力を調整する。
【００６４】
図１１に示す例では、支台壁１１５に対し、理想的に垂直にネジ１３０を設置して、ネジ頭１３２の上面と支台壁１１５の外表面とが同一平面になる場合である（図１１（ａ））。この場合、ネジ１３０を支台壁１１５に取り付けた後に、上部構造体１２０を製作する。
【００６５】
この場合、ネジ１３０を逆回転させることのみで、ネジ１３０の突出度を調整し、維持力の強さを調整することができる（図１１（ｂ））。この場合、ネジ頭１３２の削合をする必要はないが、支台壁１１５の正確な位置にネジ１３０を設置することが必要となる。なお、支台壁１１５の正確な位置とは、支台壁１１５の表面に対してネジ１３０の軸が垂直に設置されており、該支台壁１１５の表面とネジ頭１３２の上面とが一致していることである。
【００６６】
なお、現実的には、上部構造体１２０の装着方向の調整が必要となり、支台壁１１５の角度の補正が必要となることが多いため、既製品としてネジ１３０設置済みの支台１１０を作成しても、上部構造体１２０の装着方法の調整が必要となる。
【００６７】
ただし、ＣＡＤ−ＣＡＭ等による支台１１０の精密な製作が可能となり、平面およびネジホール５１７を支台壁１１５に厳密に形成できるようになれば、この実施例の応用範囲は広くなる。例えば、インプラント埋入後にＣＡＤ−ＣＡＭや鋳造等によって、角度補正をした支台１１０を製作し、支台壁１１５の表面及びネジホール５１７を支台壁１１５に厳密に形成すれば、この実施例の応用範囲は広くなる。
【００６８】
このように、支台壁１１５にネジホール５１７を形成することができれば、ネジ１３０を用いて支台１１０に突起部を形成することができる。そのため、通常、金属製の支台１１０にネジ１３０が取り付けられるが、セラミック等の非金属無機材料製の支台１１０にも、ネジホール５１７を形成することができれば、適用可能である。
【００６９】
また、ネジ１３０による突起部の形成方法（スクリュー法）は、金属製、セラミック等の非金属無機材料製、または樹脂製の上部構造体１２０に応用が可能である。
【００７０】
また、ネジ１３０による突起部の形成方法は、ネジ１３０の支台１１０への設置をシステム化することでき、維持力の調整が容易である。また、ネジ１３０を逆回転するもしくは交換することにより、摩擦による維持力の強さを回復することができる。また、ネジ１３０である突起部の摩擦による維持力の安定性は、後述の樹脂で形成された突起部より高い。また、ネジ１３０が緩んだ場合、締め直すことによって容易に維持力の強さを調整することができる。
【００７１】
なお、既製品の支台１１０、および、ＣＡＤ−ＣＡＭや鋳造等によって患者の個々の状態に合わせて製作した既製品でない支台１１０にも、ネジ１３０は応用できる。ネジ１３０の材質は、金属でもセラミック等の非金属無機材料製でも可能である。
【００７２】
例えば、支台１１０の材料は、一般的な既製品で用いられている、チタンまたはチタン合金等の金属であってよい。その他、例えば、既製品でない支台１１０に用いられている、鋳造による金属製の支台１１０、ＣＡＤ−ＣＡＭによる金属製の支台１１０、ジルコニアなどのセラミック製（非金属無機材料製）、または樹脂製の支台１１０を適用することもできる。
【００７３】
〔本発明の概要〕
ここで、改めて本発明の概要について図１２および図１３に基づいて説明する。図１２は、突起部２を有する支台１の外観を表す図であり、（ａ）は突起部２に対して側面側から見た図であり、（ｂ）は突起部２に対して正面側から見た図である。図１３は、突起部２を有する支台１に上部構造体３を装着した補綴装置１０の概略透視図であり、（ａ）は補綴装置１０の側面側から見た透視図であり、（ｂ）は補綴装置１０上方から見た透視図である。
【００７４】
図１２に示すように、本発明は、支台１の外表面に突起部２を有することを特徴とする。この突起部２により、支台１と上部構造体との間に摩擦力が生じ、支台１と上部構造体との適合性および維持力を調整することにより、支台から上部構造体を着脱可能な補綴装置を実現することができる。
【００７５】
突起部２は、支台１の外表面から突出方向に突出するものである。突起部２の突出量は、支台１と上部構造体との適合性に応じて適宜設計する。例えば、突起部２は支台１の外表面から１０μｍ〜１００μｍ程度突出している。突起部２の材質は、樹脂または金属である。
【００７６】
図１３に示すように、支台１を覆うように上部構造体３を装着する。これにより、突起部２の先端部と、突起部２に対向する上部構造体３の内側面とが強く接触する。その強い接触により、上部構造体３が突出方向（図１３の矢印の方向）に若干移動する。支台１の突起部２がある側面の反対側の側面と、当該反対側の側面に対向する上部構造体３の内側面とが強く接触する。突起部２と突起部２に対向する上部構造体３の内側面との接触、および、突起部２と反対側の側面と、当該反対側の側面に対向する上部構造体３の内側面との接触により、摩擦による維持力が発生し、支台１を覆うように上部構造体３を固定することができる。
【００７７】
このように歯科用セメントを用いることなく、上部構造体３を支台１に装着することができる。そのため、上部構造体３を固定する維持力を適正に調整することにより、支台１から上部構造体３を外したいときに簡単に外すことができる、着脱可能な補綴装置を実現することができる。
【００７８】
また、本発明の構成により、上部構造体３が破損した場合、上部構造体３を簡単に除去して、口腔外において上部構造体３を修復することができる。また、上部構造体３のサブジンジバルカントア部（歯肉縁下部）の粘膜の状態を直視で観察することができる。また、サブジンジバルカントア部のクリーニングと管理を容易に行うことができる。
【００７９】
また、本発明では、歯科用セメントを用いないため、上部構造体３のサブジンジバルカントア部を容易に製作することができる。また、支台１のカラー部の高さを可及的に低くすることができるため、既製品の支台１を使用することができる。
【００８０】
また、本発明では、歯科用セメントを用いないため、支台１のカラー部の高さを可及的に低くすることが可能で、既製品の支台１を使用することができる。さらに、上部構造体３のサブジンジバルカントア部を容易に製作することができる。
【００８１】
また、上部構造体３のサブジンジバルカントア部を白色の材料で製作することができるため、サブジンジバルカントア部を金属で製作した場合に問題となる、歯肉色の変化がおこらない。
【００８２】
〔実施形態２〕
実施形態１では、ネジ１３０によって突起部を実現したが、本実施形態では、樹脂材料により突起部５を形成する。
【００８３】
具体的には、図１４（ａ）に示すように、支台壁４の外表面上に、支台壁４を貫通しない窩洞を形成し、その窩洞の中に樹脂を充填させて、支台壁の外表面から樹脂を突出させて、樹脂突起部５を形成する。
【００８４】
突起部５を形成するための樹脂の維持を確実にするために、次の（１）もしくは（２）のどちらか一方、または両方を実施する。（１）穴の壁にサンドブラスト処理、または、支台で使用されている材料（金属または樹脂）に対応したプライマーにより、突起部５を形成するための樹脂と、支台との接着をはかる。（２）突起部５を形成するための樹脂を維持するために、図１４（ｂ）〜（ｄ）に示すように、アンダーカットを形成する。
【００８５】
本実施形態において、支台の材質は、一般的な既製品で用いられている、チタンまたはチタン合金等の金属であってよい。その他、既製品でない支台に用いられている、鋳造による金属製の支台、ＣＡＤ−ＣＡＭによる金属製の支台、ジルコニアなどのセラミック製（非金属無機材料製）の支台を適用することもできる。
【００８６】
樹脂突起部５の先端部の上面の形状は、任意でよく、例えば、図１５に示すように、円形（図１５（ａ））、楕円形（図１５（ｂ））、三角形（図１５（ｃ））、四角形（図１５（ｄ））、五角形（図１５（ｅ））、面取り四角形（図１５（ｆ））等であってよい。また、先端部の上面の幅（例えば、図１５（ａ）の円形の直径）は、２ｍｍ程度が応用しやすい大きさである。
【００８７】
また、図１６に示すように、樹脂突起部５は、支台壁４の平面部分または曲面部分に形成される。樹脂突起部５の先端部の形状は、形成される支台壁の形状に合わせる。
【００８８】
樹脂突起部５による維持力の調整について図１７に基づいて説明する。なお、適切な内側面および接触部の適合性を有する上部構造体を事前に製作する。
【００８９】
まず、図１７（ａ）に示すように、支台壁４の外表面上に窩洞４０を形成する。そして、図１７（ｂ）に示すように、窩洞４０に樹脂を充填して、樹脂突起部５を形成する。樹脂突起部５の先端部は支台壁４の外表面より突出させる。最後に、図１７（ｃ）に示すように、支台に上部構造体を装着したときに、支台と上部構造体との適合性を向上させ、摩擦による適切な維持力が得られるように、樹脂突起部５の先端部の一部５０を削合する。
【００９０】
樹脂突起部５の支台６（支台壁４）からの突出量、突出している部分の形状、および、樹脂突起部５の先端部上面と上部構造体７の内側面との接触面積等を適宜設計することにより、図１７（ｄ）に示す矢印方向の力に対抗する維持力の強さを調整することができる。また、樹脂突起部５と反対側の支台６の側面と上部構造体７の内側面との接触状態も維持力に影響を与える。
【００９１】
樹脂材料により突起部５を形成する方法（樹脂突起法）は、金属製またはセラミック等の非金属無機材料製の支台に適用することができる。また、本方法は、金属製またはセラミック等の非金属無機材料製の上部構造体に適用することができる。また、本方法は、維持力の調整が容易である。また、本方法では、樹脂突起部５を再製作することにより、維持力の回復が可能である。本方法において、摩擦による維持力の安定性は、樹脂突起部５の先端部の上面の耐摩耗性に依存する。樹脂の劣化も考慮すると、長期的な安定性の獲得が困難な場合もある。しかしながら、樹脂突起部５を再製作することにより、維持力の回復は可能である。
【００９２】
〔実施形態３〕
実施形態２では、樹脂材料によって突起部を実現したが、本実施形態では、金属材料により突起部を形成する。
【００９３】
具体的には、支台壁に以下の方法で突起部を形成する。
【００９４】
まず、金属製の支台の素材金属に適合する金属ロウを支台壁上に流し、金属突起部を形成する。または、金属製の支台の素材金属の薄い箔を、支台壁の外表面上に溶接する（例えば、レーザー溶接、電気溶接等）。金属突起部を形成した後、金属突起部の先端部を削合して、上部構造体の内側面との適合性を向上させ、摩擦による維持力を調整する。
【００９５】
金属材料により突起部を形成する方法（金属突起法）は、金属製の支台にのみ適用が可能である。また、本方法は、金属製またはセラミック等の非金属無機材料製の上部構造体に適用することができる。本方法では、金属突起部を再製作することにより、摩擦による維持力の強さを回復することができる。本方法では、摩擦による維持力の安定性は、実施形態２に係る方法より高い場合がある。
【００９６】
なお、本方法は、金属ロウを流して金属突起部を形成するときの金属突起部の形態的な制御が困難である。また、本方法は、特殊な溶接器具が必要である。
【００９７】
〔変形例〕
上記の各実施形態において、突起部の基底部分にスプリング等を設置して、弾性をもたせ、突起部に対応する上部構造体の内面に、突起部がはまり込む凹部を製作し、突起部をその凹部にはめ込む様にしてもよい。
【００９８】
あるいは反対に、上部構造体の内面の方に突起を製作し、支台の方には、該突起部に対応する凹部を製作することによって、同様の効果を得ることができる。
【００９９】
まず、上部構造体の内面に陥凹部を製作し、該陥凹部に樹脂などを流し、その樹脂を用いて突起を製作（形成）してもよい。なお、上部構造体の材質は、金属製、ジルコニアなどのセラミック製（非金属無機材料製）、または樹脂製などであってもよい。この方法は、金属製の支台、ジルコニアなどのセラミック製（非金属無機材料製）の支台、樹脂製の支台などの全ての支台に適用可能である。
【０１００】
あるいは、金属製の上部構造体の内面に、金属ロウ、レーザー溶着を用いて突起を製作してもよい。なお、この方法も、金属製の支台、ジルコニアなどのセラミック製（非金属無機材料製）の支台、樹脂製の支台などの全ての支台に適用可能である。
【０１０１】
なお、上記の各実施形態では、突起部の個数は１つであるが、突起部が複数あってもよい。
【０１０２】
上記のような、突起部と凹部とのはめ込み（嵌合）ではなく、スクリューベースを利用する方法（スクリューベース法）を用いてもよい。ここで、スクリューベースとは、スクリュー（ネジ）が装着できるフレームである。
【０１０３】
スクリューベースの形状は、上部から見ると環形であり、その直径はスクリューより大きい。スクリューベースを側方から見たときの形状は、上部幅より基底部の幅が狭くなっている。スクリューベースの側面には、サンドブラスト処理が行われていてもよく、この処理を行うことによって、スクリューベースの接着性を向上させることができる。
【０１０４】
スクリューベースは金属製であってもよいし、セラミック等の非金属無機質製であってもよいし、樹脂製であってもよい。
【０１０５】
スクリューベース法を用いる場合、まず、（１）支台壁面にスクリューベースの形態に合わせた、ベースホールを形成する。次に、（２）ベースホールにスクリューベースを接着する。なお、（１）において形成したベースホールの壁面に対し、サンドブラスト処理などを行い、スクリューベースの物理的な接着性能を向上させることが好ましい。あるいは、支台の材質に応じて、ベースホールの壁面にエッチングやプライマーなどによる表面処理を行い、接着性レジンセメントの接着性を向上させてもよい。一方、スクリューベースの側面にも、ベースホールの壁面に行った処理と同様の表面処理を行う。そして、接着性レジンセメントを用いて、スクリューベースを、支台に形成したベースホールに接着する。最後に、（３）スクリューをスクリューベースに装着し、着脱可能な補綴装置の維持力の調整を行う。
【０１０６】
このようにスクリューベース法を利用すれば、容易に上部構造体を支台に取り付けることができる。また、スクリューベース法を利用すれば、支台壁にスクリュータップを形成する必要性がないため、スクリュータップを形成することができない材料（ジルコニアなどのセラミックなど）からなる支台壁に対しても、スクリューを用いて支台に上部構造体を取り付けることができる。
【０１０７】
なお、スクリューおよびスクリューベースは、金属、セラミック等の非金属性無機物、樹脂などの材料を用いて製作されていてもよい。また、スクリューおよびスクリューベースは、金属製、セラミック等の非金属性無機物製、または樹脂製などの支台壁に対して適用可能である。ただし、スクリューベース法を利用して上部構造体を支台に取り付ける場合、スクリューベースと、支台に形成したベースホールとの接着に依存しているため、その接着の耐久性が問題となる場合がある。
【０１０８】
〔補足〕
本明細書および特許請求の範囲において特定の素子を指す用語が使用されているが、同様の素子に対して異なる名詞で称呼する場合もあることは、当業者であれば理解できる。本明細書および特許請求の範囲は、名称の相違で素子を区別するものではなく、素子の機能的相違を区別の基準としている。本明細書および特許請求の範囲に記載の「含む」とは、開放的意味を持つ用語として、「含むが、これに限定されない」と解釈されるべきである。また、「結合」とは、直接、または間接的な任意の接続手段を含む。したがって、「第１素子が第２素子と結合する」のような表現は、第１素子が、電気的接続、または無線的伝送や光学的伝送などの信号接続形態により直接に第２素子と接続するか、その他の素子または接続手段を介して間接的に第２素子と電気的または信号的に接続することを意味する。
【０１０９】
また、「および／または」という表現は、これらのいずれか１つ、またはこれらの複数個からなる組み合わせを含む。また、特段な説明がない限り、本明細書において単数として用いる全ての用語は、複数である意味も含む。
【０１１０】
また、本明細書および特許請求の範囲に記載の用語「素子」（ｅｌｅｍｅｎｔ）は、構成部材（ｃｏｍｐｏｎｅｎｔ）、層構造（ｌａｙｅｒ）または領域（ｒｅｇｉｏｎ）の概念を含む。
【０１１１】
また、実施例の内容をより明確に示すために、図中の一部の素子のサイズや相対的大きさを拡大し、または一部の素子の形状を簡略化することがあるが、特段な説明がない限り、図中の素子の形状、サイズ、相対的大きさおよび相対位置は、あくまでも説明の便宜上のものであり、本発明の特許請求の範囲を限定するものではない。また、本発明は、種々の異なる形式で表現でき、本明細書に示された実施例形態のみに基づいて解釈されるべきものではない。
【０１１２】
また、説明の便宜上、本明細書において例えば「…上に」、「…の上方において」、「…下に」、「…の下方において」、「…よりも高い」、「…よりも低い」、「上へ」、「下へ」など、空間内の相対的位置に関する表現を用いて、図中の素子の機能、または該素子と他素子との空間的相対関係について説明する場合がある。しかし当業者であれば、空間内の相対的位置に関するこれらの表現は、図中の当該素子の指向関係（ｏｒｉｅｎｔａｔｉｏｎ）のみならず、該素子の使用時、動作時または実装時における種々の指向関係も含むことを理解できる。例えば、図面の上下を反転すれば、「…上に」を用いて表現した素子は「…下に」となる。したがって、本明細書において用いられた「…上に」のような表現は、その解釈に「…上に」および「…下に」の２種類の指向関係が含まれる。同様に、本明細書において用いられた「上へ」のような表現は、その解釈に「上へ」および「下へ」の２種類の指向関係が含まれる。
【０１１３】
また、本明細書および特許請求の範囲において、「第１素子が第２素子上に位置する」、「第１素子が第２素子の上方にある」、「第１素子が第２素子と連結、接合、結合する」、または「第１素子が第２素子に接する」のような表現は、「第１素子が直接に第２素子上に位置する」、「第１素子が直接に第２素子と連結、接合、結合する」、または「第１素子が直接に第２素子に接する」の意味であってもよく、「第１素子と第２素子との間に他の素子が存在する」の意味であってもよい。これに対し、「第１素子が直接に第２素子上に位置する」、「第１素子が直接に第２素子と連結、接合、結合する」、または「第１素子が直接に第２素子に接する」のような表現は、「第１素子と第２素子との間に他の素子が存在しない」の意味になる。
【０１１４】
以上に説明したものは、本発明のより好ましい実施例でしかすぎない。本発明の請求項に対して均等的な変更および限定を施した後の構成も、本発明の技術的範囲に含まれる。
【産業上の利用可能性】
【０１１５】
本発明は、種々の従来支台の構成にも適用でき、最も幅広く応用できる。また、異なる構造の種々の支台に適用でき、非常に幅広い応用余地がある。
【符号の説明】
【０１１６】
１・・・支台
２・・・突起部
３・・・上部構造体
４・・・支台壁
５・・・樹脂突起部
６・・・支台
７・・・上部構造体
１０・・・補綴装置
４０・・・窩洞
１００・・・着脱可能な補綴装置
１０２・・・歯槽骨
１０４・・・歯科用植込み体
１０６・・・歯
１１０・・・支台
１１１・・・支台結合部
１１２・・・中空チャンバー
１１３・・・開口
１１４・・・外表面
１１５・・・支台壁
１２０・・・上部構造体
１２１・・・格納領域
１２２・・・内側面
１３０・・・ネジ
１３２・・・ネジ頭
１３４・・・ネジ棒
１４０・・・支台ネジ
２２２・・・接触部
２２４・・・誘導部
２２６・・・上面
２２８・・・ツール用スロット
２３０・・・ネジ山
４１６・・・支台ネジ用ホール
５１７・・・ネジホール
６１８・・・誘導領域
【図１】
0006055526.tif 000002
【図２】
0006055526.tif 000003
【図３】
0006055526.tif 000004
【図４】
0006055526.tif 000005
【図５】
0006055526.tif 000006
【図６】
0006055526.tif 000007
【図７】
0006055526.tif 000008
【図８】
0006055526.tif 000009
【図９】
0006055526.tif 000010
【図１０】
0006055526.tif 000011
【図１１】
0006055526.tif 000012
【図１２】
0006055526.tif 000013
【図１３】
0006055526.tif 000014
【図１４】
0006055526.tif 000015
【図１５】
0006055526.tif 000016
【図１６】
0006055526.tif 000017
【図１７】
0006055526.tif 000018